(57)【特許請求の範囲】
【請求項１】
体育館、講堂等の床部２の下側に位置する大引き９と該大引き９の下側に位置する基礎面３との間に所要数配設した空気ばね又はボールダンパ或いはゴム材の内のいずれかで構成した弾性体２０により防振支持されながら、前記基礎面３上に配置されて前記大引き９等の構造躯体を制振するようにした床用制振装置であって、
ばね１６により常時下方に押さえ付けられているとともに前記床部２の柔らかさを調整でき前記構造躯体に制振力を付与する制振力付与部材１１を具備し、
前記基礎面３上に、所要数配置される制振力発生手段４と、当該制振力発生手段４の付与部材駆動部の流体圧を前記床部２の用途に応じて増減し前記制振力付与部材１１による構造躯体への制振力を調整する制振力調整手段５とを具備し、
前記制振力付与部材１１と、この制振力付与部材１１を前記構造躯体に対して圧縮空気の空気圧による他、油圧、水圧等の流体圧をもって接離させる付与部材駆動部とを有する前記制振力発生手段４とを、前記床部２下側に配置される各構造躯体に臨ませて所要数設けるとともに、
前記制振力発生手段４は、前記基礎面３上に配置された架台１３と、この架台１３上で前記大引き９の一方の側面に接触する状態に配置した一方の把持片１０ａ及び前記架台１３上で前記大引き９の他方の側面に接離可能に配置した他方の把持片１０ｂからなる制振力付与部材１１と、前記架台１３上で前記他方の把持片１０ｂと架台１３上の端部に配置した固定片１４との間に配置した前記把持片１０ｂに対して空気圧による前記大引き９側への押し付け力を付与する付与部材駆動部としてのエアーバック１５とを具備してなることを特徴とする床用制振装置。
【請求項２】
体育館、講堂等の床部２の下側に位置する大引き９と該大引き９の下側に位置する基礎面３との間に所要数配設した空気ばね又はボールダンパ或いはゴム材の内のいずれかで構成した弾性体２０により防振支持されながら、前記基礎面３上に配置されて前記大引き９等の構造躯体を制振するようにした床用制振装置であって、
ばね１６により常時下方に押さえ付けられているとともに前記床部２の柔らかさを調整でき前記構造躯体に制振力を付与する制振力付与部材１１を具備し、
前記基礎面３上に、所要数配置される制振力発生手段４と、当該制振力発生手段４の付与部材駆動部の流体圧を前記床部２の用途に応じて増減し前記制振力付与部材１１による構造躯体への制振力を調整する制振力調整手段５とを具備し、
前記制振力発生手段４は、前記基礎面３上に配置された架台１３と、この架台１３上で前記大引き９の一方の側面に接触する状態に配置した一方の把持片１０ａ及び前記架台１３上で前記大引き９の他方の側面に接離可能に配置した他方の把持片１０ｂからなる前記制振力付与部材１１と、前記架台１３上で前記他方の把持片１０ｂと架台１３上の端部に配置した固定片１４との間に配置した前記把持片１０ｂに対して空気圧による前記大引き９側への押し付け力を付与する付与部材駆動部としてのエアーバック１５とを具備し、
前記把持片１０ａ、１０ｂは、前記大引き９との当接面に摩擦板１０ｃ及び摩擦板１０ｄを具備してなることを特徴とする床用制振装置。
【発明の詳細な説明】
【産業上の利用分野】
本発明は、床用制振装置に関し、より詳しくは、同一の床部を多様な用途に適用可能とする床用制振装置に関する。
【従来の技術】
従来における体育館、講堂等の床構造として例えば図８に示す構造のものが知られている。
同図に示す床構造は、基礎面５０上に配置される平坦なフローリング５１及び下張り５２からなる床部５３と、この床部５３を下側から支持する根太５４及び大引き５５と、この大引き５５と前記基礎面５０との間に配置され床部５３に加わる振動力等を吸収するばね等を用いた弾性体５６とを具備している。
【発明が解決しようとする課題】
しかしながら、上述した従来の床構造の場合、前記弾性体５６による弾性作用は、予め定められた一定の値を有するものであり、このため、例えば前記弾性体５６による弾性作用を床部５３が硬い状態でよい剣道場用として設定している場合、この床部５３が柔らかい状態であることを要する柔道場等に転用しようとしても前記弾性体５６による弾性作用を変えることは不可能であるという問題があった。
即ち、前記弾性体５６による弾性作用は、予め定められた一定の値を有するものであり、弾性作用を変えるためには弾性体５６を異なる弾性作用を持った他の装置に取り替えなければならず、このような取り替え工事は、事実上、不可能であるという問題があった。
そこで、本発明は、床部の弾性、即ち床部の柔らかさをこの床部の用途に応じて極めて容易に変えることができ、同一の床部の多用途化を図ることが可能な床用制振装置を提供することを目的とするものである。
【課題を解決するための手段】
前記目的を達成するために構成した本発明に係る請求項１記載の床用制振装置は、体育館、講堂等の床部の下側に位置する大引きと該大引きの下側に位置する基礎面との間に所要数配設した空気ばね又はボールダンパ或いはゴム材の内のいずれかで構成した弾性体により防振支持されながら、前記基礎面上に配置されて前記大引き等の構造躯体を制振するようにした床用制振装置であって、ばねにより常時下方に押さえ付けられているとともに前記床部の柔らかさを調整でき前記構造躯体に制振力を付与する制振力付与部材を具備し、前記基礎面上に、所要数配置される制振力発生手段と、当該制振力発生手段の付与部材駆動部の流体圧を前記床部の用途に応じて増減し前記制振力付与部材による構造躯体への制振力を調整する制振力調整手段とを具備し、前記制振力付与部材と、この制振力付与部材を前記構造躯体に対して圧縮空気の空気圧による他、油圧、水圧等の流体圧をもって接離させる付与部材駆動部とを有する前記制振力発生手段とを、前記床部下側に配置される各構造躯体に臨ませて所要数設けるとともに、前記制振力発生手段は、前記基礎面上に配置された架台と、この架台上で前記大引きの一方の側面に接触する状態に配置した一方の把持片及び前記架台上で前記大引きの他方の側面に接離可能に配置した他方の把持片からなる制振力付与部材と、前記架台上で前記他方の把持片と架台上の端部に配置した固定片との間に配置した前記把持片に対して空気圧による前記大引き側への押し付け力を付与する付与部材駆動部としてのエアーバックとを具備してなることを特徴とするものである。
前記目的を達成するために構成した本発明に係る請求項２記載の床用制振装置は、体育館、講堂等の床部の下側に位置する大引きと該大引きの下側に位置する基礎面との間に所要数配設した空気ばね又はボールダンパ或いはゴム材の内のいずれかで構成した弾性体により防振支持されながら、前記基礎面上に配置されて前記大引き等の構造躯体を制振するようにした床用制振装置であって、ばねにより常時下方に押さえ付けられているとともに前記床部の柔らかさを調整でき前記構造躯体に制振力を付与する制振力付与部材を具備し、前記基礎面上に、所要数配置される制振力発生手段と、当該制振力発生手段の付与部材駆動部の流体圧を前記床部の用途に応じて増減し前記制振力付与部材による構造躯体への制振力を調整する制振力調整手段とを具備し、前記制振力発生手段は、前記基礎面上に配置された架台と、この架台上で前記大引きの一方の側面に接触する状態に配置した一方の把持片及び前記架台上で前記大引きの他方の側面に接離可能に配置した他方の把持片からなる前記制振力付与部材と、前記架台上で前記他方の把持片と架台上の端部に配置した固定片との間に配置した前記把持片に対して空気圧による前記大引き側への押し付け力を付与する付与部材駆動部としてのエアーバックとを具備し、前記各把持片は、前記大引きとの当接面に夫々摩擦板を具備してなることを特徴とするものである。
【作用】
請求項１記載の床用制振装置によれば、制振力発生手段の制振力付与部材が付与部材駆動部による流体圧により構造躯体に接触してこの構造躯体に制振力を付与し、この際、制振力調整手段により制振力発生手段の付与部材駆動部の流体圧を前記床部の用途に応じて増減し、前記制振力付与部材による構造躯体への制振力を調整することにより、前記床部は硬く又は柔らかくなり、これにより、制振力調整手段に対する簡略な操作のみで前記床部を各種の用途に適用可能とすることができる。そして、前記制振力発生手段を、前記床部の面積に応じて変わる構造躯体の個数に対応してこれらの構造躯体の各々に臨ませて所要数配置することで、床面積が種々に異なる体育館、講堂等の床部をそれぞれ各種の用途に適用可能とすることができる。
請求項２記載の床用制振装置によれば、請求項１記載の作用の他、前記各把持片は、大引きとの当接面に摩擦板及び摩擦板を具備してなることから、前記床部に加わる振動力を受ける大引きに制振力を一層高効率に付与することができる。
【実施例】
以下に、本発明の実施例を詳細に説明する。
図１乃至図４に示す床用制振装置１は、例えば体育館、講堂等の床部２の下側の基礎面３上に所要数配置される制振力発生手段４と、各制振力発生手段４による制振力を一括して調整する制振力調整手段５とを有している。
前記床部２は、図２に示すように、平坦なフローリング６と、このフローリング６の下面に張設した下張り７とを具備し、この床部２の下側に所定の間隔で配置される根太８を構造躯体である大引き９により支持するようになっている。
前記制振力発生手段４は、基礎面３上に配置された架台１３と、この架台１３上で前記大引き９の一方の側面に接触する状態に配置した一方の把持片１０ａ及び架台１３上で前記大引き９の他方の側面に接離可能に配置した他方の把持片１０ｂからなる制振力付与部材１１と、架台１３上で前記他方の把持片１０ｂとこの架台１３上の端部に配置した固定片１４との間に配置した前記把持片１０ｂに対して空気圧による大引き９側への押し付け力を付与する付与部材駆動部としてのエアーバック１５とを具備している。
なお、図２、図３中の符号１０ｃ、１０ｄは把持片１０ａ、１０ｂの大引き９との当接面に取り付けた摩擦板、１２は基礎面３上の敷設部材、１６はばねである。
前記制振力調整手段５は、各制振力発生手段４のエアーバック１５に対する圧力が種々に調整できる圧縮空気を供給するコンプレッサ１７と、このコンプレッサ１７から各制振力発生手段４の近傍位置に亘って配管した供給管１８と、供給管１８と各エアーバック１５とを連結する連結管１９とを具備している。
本実施例においては、前記制振力調整手段５における制振力発生手段４の調整を圧縮空気をもって行うように構成しているが、本発明においては、圧縮空気の他、油圧、水圧等の各種の流体圧でもって制振力発生手段４の調整を行うように構成しても良い。
前記制振力発生手段４は、図１に示すように、前記床部２の面積に応じて変わる大引き９の個数に対応してこれらの大引き９の各々に臨ませて所要数所定の間隔で配置している。
前記床部２の下側の大引き９と基礎面３との間には、上述した制振力発生手段４の他に、図５に示すような空気ばね（又はボールダンパ、ゴム材等）を用いて構成した弾性体２０を所用個数配置している。なお、本実施例においては、図示する如く大引き９と基礎面３との間に、弾性体２０を配置したものとしているが、本発明においては、当該弾性体２０を配置せずに、大引き９自体の有する弾性でもって床部２に弾性作用を発揮できるように構成しても良いことは勿論である。
上述した床用制振装置１によれば、制振力発生手段４の制振力付与部材１０ａ、１０ｂがエアーバック１５に作用する空気圧により大引き９に押し付け状態で接触してこの大引き９を把持し、前記床部２に加わる振動力を受ける大引き９に制振力を付与する。
この際、制振力調整手段５のコンプレッサ１７により圧力が種々に調整できる圧縮空気を前記供給管１８、連結管１９を介して各エアーバック１５に一括して供給することで、制振力付与部材１０ａ、１０ｂによる大引き９への把持力を種々調整でき、これにより、前記床部２は剣道場の床のように硬く又は柔道場の床のように柔らかくすることができる。この結果、コンプレッサ１７に対する簡略な操作のみで前記床部２を各種の用途に適用可能とすることができる。
また、前記制振力発生手段４を、前記床部２の面積に応じて変わる大引き９の個数に対応してこれらの大引き９の各々に臨ませて所要数配置することで、床面積が種々に異なる体育館、講堂等の床部２をそれぞれ各種の用途に適用可能とすることができる。
次に、前記制振力発生手段４の他例を図６、図７を参照して説明する。
図６、図７に示す制振力発生手段４Ａは、前記制振力発生手段４と異なり、架台１３上の中央部に、エアーバック１５を配置するとともに、このエアーバック１５の両側に、端面に各々摩擦板２３ｃ、２３ｄを備えた一対の押し当て片２３ａ、２３ｂをスライド可能に配置し、エアーバック１５から一対の押し当て片２３ａ、２３ｂに作用する空気圧により一対の押し当て片２３ａ、２３ｂを大引き９から所定の間隔で突設した一対の受片２４ａ、２４ｂに押し当てて、一対の受片２４ａ、２４ｂを介して大引き９に制振力を付与するようにしたものである。  このような制振力発生手段４Ａを用いても、前記制振力発生手段４を用いた場合と同様な作用効果を発揮させることができる。
【発明の効果】
請求項１記載の発明によれば、制振力調整手段に対する簡略な操作のみで床部を各種の用途に適用可能とすることができるとともに、床面積が種々に異なる体育館、講堂等の床部をそれぞれ各種の用途に適用可能とすることができる床用制振装置を提供することができる。
請求項２記載の発明によれば、請求項１記載の効果の他、前記各把持片は、大引きとの当接面に摩擦板及び摩擦板を具備してなることから、前記床部に加わる振動力を受ける大引きに制振力を一層高効率に付与することができる。
【図面の簡単な説明】
【図１】本発明の実施例装置の概略配置図である。
【図２】本実施例装置の制振力発生手段を示す正面図である。
【図３】本実施例装置の制振力発生手段を示す拡大正面図である。
【図４】本実施例装置の制振力発生手段を示す拡大平面図である。
【図５】本実施例装置の衝撃緩衝部材を示す正面図である。
【図６】本実施例装置の制振力発生手段の他例を示す拡大正面図である。
【図７】本実施例装置の制振力発生手段の他例を示す拡大平面図である。
【図８】従来の床構造を示す断面図である。
【符号の説明】
１  床用制振装置
２  床部
３  基礎面
４  制振力発生手段
５  制振力調整手段
６  フローリング
７  下張り
８  根太
９  大引き
１１  制振力付与部材
１５  エアーバック
【図１】
0003598441.tif 000002
【図２】
0003598441.tif 000003
【図３】
0003598441.tif 000004
【図４】
0003598441.tif 000005
【図５】
0003598441.tif 000006
【図６】
0003598441.tif 000007
【図７】
0003598441.tif 000008
【図８】
0003598441.tif 000009